(57)【特許請求の範囲】
【請求項１】
同一室内に設置されたショーケースおよび空調装置を制御する制御部を備えた制御装置であって、
前記制御部は、前記室内の現在の温度および湿度の情報、並びに、前記空調装置の運転モードに関する情報を前記空調装置から取得し、取得した前記情報に基づいて、前記ショーケースが有する防露ヒータの通電率を制御する、
制御装置。
【請求項２】
前記制御部は、取得した前記情報に基づいて、前記ショーケースにおける露点温度を算出し、当該露点温度に応じて前記通電率を調節する、
請求項１に記載の制御装置。
【請求項３】
前記制御部は、前記ショーケースが設置された地点の季節に関する情報と、天気に関する情報と、時間帯に関する情報とのうち、少なくとも１つの情報にさらに基づいて前記防露ヒータの通電率を調節する、
請求項１に記載の制御装置。
【請求項４】
防露ヒータを有するショーケースと、
前記ショーケースと同一室内に設けられた空調装置と、
制御装置と、
を有し、
前記制御装置は、前記室内の現在の温度および湿度の情報、並びに、前記空調装置の運転モードに関する情報を前記空調装置から取得し、取得した前記情報に基づいて、前記ショーケースが有する防露ヒータの通電率を制御する制御部を備えた、
ショーケース制御システム。
【発明の詳細な説明】
【技術分野】
【０００１】
本発明は、ショーケースの結露を防止する防露ヒータを備えた制御装置およびショーケース制御システムに関する。
【背景技術】
【０００２】
スーパーマーケットやコンビニエンスストア等の店舗において、飲料や食料等を冷蔵あるいは冷凍しながら陳列するためにショーケースが用いられている。このようなショーケースとしては、冷却された商品が外部に露出するオープンタイプのものと、露出しないクローズドタイプのものがある。
【０００３】
これらのショーケースでは、特にクローズドタイプにおいて、ケース内外の温度差により結露が発生することがある。結露が発生すると外部からケース内が見えなくなってしまうため、一般にショーケースは発熱により結露の発生を予防する防露ヒータを有する。
【０００４】
特許文献１には、防露対象部の表面温度を測定する温度センサを有し、当該温度センサにより測定された表面温度と、ショーケースを設置する店舗内の露点温度とに基づいて防露ヒータのオンオフを制御する防露ヒータの制御装置が開示されている。
【先行技術文献】
【特許文献】
【０００５】
【特許文献１】特開２０１１−２５７０２５号公報
【発明の概要】
【発明が解決しようとする課題】
【０００６】
特許文献１に開示された技術では、ショーケースごとに温度センサが備えられている。このため、複数のショーケースが存在する場合、ショーケースごとに温度センサからの温度データの収集と防露ヒータの制御とを行う必要が生じる。しかし、このようにケースごとに温度センサを備えると、設置コストが嵩むという問題がある。また、複数のショーケースがある場合、ケースごとに防露ヒータの制御を行う必要があり、防露ヒータの制御に大きなリソースが必要となるという問題がある。
【０００７】
本発明はこのような問題を解決するためになされたものであり、本発明の目的は、ショーケースごとに温度センサを有していなくても、最適な防露ヒータの制御を行うことができる制御装置およびショーケース制御システムを提供することである。
【課題を解決するための手段】
【０００８】
本発明の制御装置は、同一室内に設置されたショーケースおよび空調装置を制御する制御部を備えた制御装置であって、制御部は、室内の現在の温度および湿度の情報、並びに、空調装置の運転モードに関する情報を空調装置から取得し、取得した情報に基づいて、ショーケースが有する防露ヒータの通電率を制御する。
【０００９】
本発明のショーケース制御システムは、防露ヒータを有するショーケースと、ショーケースと同一室内に設けられた空調装置と、制御装置と、を有し、制御装置は、室内の現在の温度および湿度の情報、並びに、空調装置の運転モードに関する情報を空調装置から取得し、取得した情報に基づいて、ショーケースが有する防露ヒータの通電率を制御する制御部を備えた。
【発明の効果】
【００１０】
本発明によれば、ショーケースごとに温度センサを有していなくても、最適な防露ヒータの制御を行うことができる。
【図面の簡単な説明】
【００１１】
【図１】本発明の実施の形態のショーケース制御システムの構成を示す図
【図２】本発明の実施の形態の制御装置の構成の一例を示す図
【図３】本発明の実施の形態のショーケース制御システムにおいて、防露ヒータの通電率を制御するときの動作例を説明するためのフローチャート
【図４】本発明の実施の形態のショーケース制御システムにおいて、通電率の決定に用いられる露点温度の範囲を示した図
【発明を実施するための形態】
【００１２】
以下、本発明の実施の形態のショーケース制御システム１００について詳細に説明する。
【００１３】
図１は、本発明の実施の形態のショーケース制御システム１００の構成を示す図である。図１に示すように、ショーケース制御システム１００は、ショーケース１、空調装置２、制御装置３により構成される。
【００１４】
ショーケース１は、例えば飲料や食品等、冷却するべき商品を陳列するためのものである。ショーケース１は、例えば図示しない陳列棚とケースを備える。当該ケース内は、陳列棚に陳列される商品に合わせた温度に図示しない冷却装置により冷却される。ショーケース１は、例えばスーパーマーケットやコンビニエンスストア等の店舗内に設置される。
【００１５】
図１に示すように、ショーケース１は、防露ヒータ１１を有する。防露ヒータ１１は、ショーケース１内外の結露を防止するためのヒータであり、後述する制御装置３の制御に基づいて発熱する。
【００１６】
空調装置２は、ショーケース１が設置された室内の温度や湿度を調節するための空気調和設備である。空調装置２は、後述する制御装置３の制御に応じてショーケース１が設置された室内の温度や湿度の調節を行う。なお、ショーケース１が設置された室内の温度や湿度を、以下の実施の形態では室内温湿度と称する。
【００１７】
また、空調装置２は温湿度センサ２１を有し、所定の間隔で室内温湿度の情報を取得する。ここで温湿度センサ２１が取得する温度は乾球温度［℃］であり、湿度は相対湿度［％］である。また、空調装置２は取得した室内温湿度の情報を後述する制御装置３に逐次送信する。
【００１８】
空調装置２は、後述する制御装置３の制御により、複数の運転モードで動作することができるように構成されている。複数の運転モードとは、例えば冷房、暖房、および除湿等である。これらの運転モードは、例えば後述する制御装置３の入力部３４における管理者の入力操作等に基づいて設定される。
【００１９】
制御装置３は、ショーケース制御システム１００全体の制御を行う。例えば、制御装置３は上述したショーケース１の防露ヒータ１１および空調装置２等の制御を行う。
【００２０】
図２は本発明の実施の形態の制御装置３の構成の一例を示す図である。制御装置３は、図２に示すように、マイクロコントローラ３１、メモリ３２、送受信制御部３３、入力部３４、表示部３５を有する。
【００２１】
マイクロコントローラ３１は、メモリ３２に予め格納された制御プログラム等を読み出し、ショーケース制御システム１００の各部の制御を行う。特に、マイクロコントローラ３１は、ショーケース１が結露しないように防露ヒータ１１の通電率を制御する。このマイクロコントローラ３１の通電率を制御する動作については、後に詳述する。
【００２２】
メモリ３２は上述した制御プログラムの他、例えばマイクロコントローラ３１が防露ヒータ１１の通電率を制御するために使用されるパラメータ等を予め格納する。また、メモリ３２は、空調装置２から送信された現在の室内温湿度の情報や、ショーケース１から送信されたショーケース１の制御に関する情報等を含む一時データを一時的に記憶する。
【００２３】
送受信制御部３３は、マイクロコントローラ３１とショーケース１および空調装置２との間の通信を制御する。具体的には、送受信制御部３３は、ショーケース１からショーケース１の制御に関する情報を、空調装置２から現在の室内温湿度の情報を受信する。また、送受信制御部３３は、ショーケース１に対してショーケース１の制御に関する情報や防露ヒータ１１の制御に関する情報を、空調装置２に対して空調装置２の制御に関する情報をそれぞれ送信する。
【００２４】
入力部３４は、ショーケース制御システム１００の各部に対する指示を入力するための操作部であり、例えばタッチパネル、複数のキーやボタン等である。入力部３４は、例えばショーケース１の設定温度や、空調装置２の設定温度や運転モード等を指示する入力操作を受け付ける。
【００２５】
表示部３５は、ショーケース制御システム１００の現在の状況や設定状況等を表示する。表示部３５により、例えばショーケース制御システム１００が設置された店舗の管理者等がショーケース制御システム１００の現在の状況を把握することができる。
【００２６】
次に、このような構成を有するショーケース制御システム１００において、制御装置３のマイクロコントローラ３１が行う防露ヒータ１１の通電率の制御動作について詳細に説明する。
【００２７】
図３は、ショーケース制御システム１００において、防露ヒータ１１の通電率を制御するときの動作例を説明するためのフローチャートである。
【００２８】
（ステップＳＴ１）
マイクロコントローラ３１は、防露ヒータ１１の通電率を決定するために使用する情報、すなわち、現在の室内温湿度の情報を取得する。ここで、現在の室内温湿度の情報は、空調装置２の温湿度センサ２１により所定の間隔で取得され、逐次送信されてくる情報である。
【００２９】
（ステップＳＴ２）
マイクロコントローラ３１は、ステップＳＴ１において取得した情報に基づいて、ショーケース１における露点温度を取得する露点温度取得処理を実行する。この露点温度取得処理の詳細については後述する。
【００３０】
（ステップＳＴ３）
マイクロコントローラ３１は、ステップＳＴ２において取得したショーケース１の露点温度に基づき、防露ヒータ１１への通電率を決定する通電率決定処理を実行する。この通電率決定処理の詳細についても後述する。
【００３１】
（ステップＳＴ４）
マイクロコントローラ３１は、ショーケース１が置かれた環境に関する環境情報を取得する。環境情報とは、例えば現在の空調装置２の運転モードに関する情報、および、ショーケース制御システム１００の導入された店舗所在地の現在の季節、天気、時間帯に関する情報等である。環境情報は、例えば入力部３４を介して管理者等により入力された情報であってもよいし、図示しないセンサや時計により生成された情報であってもよい。また、季節や天気に関する情報は、図示しない通信回線を介してインターネット等の公衆ネットワークから取得されてもよい。
【００３２】
（ステップＳＴ５）
マイクロコントローラ３１は、ステップＳＴ３の通電率決定処理において決定した防露ヒータ１１への通電率に対して、ステップＳＴ４において取得した環境情報に応じた補正処理を行う。この通電率の補正処理の詳細についても後述する。
【００３３】
（ステップＳＴ６）
マイクロコントローラ３１は、以上のステップにおいて決定された通電率を設定し、設定した通電率に従って防露ヒータ１１への通電を行う。
【００３４】
以上、本発明の実施の形態のショーケース制御システム１００の動作例について説明した。
【００３５】
［露点温度取得処理］
次に、図３に示すフローチャートのステップＳＴ２において実行される露点温度取得処理の詳細について説明する。露点温度取得処理は、マイクロコントローラ３１が、現在の室内温湿度の情報に基づいて、ショーケース１の現在の露点温度を取得する処理である。例えば、マイクロコントローラ３１が露点温度を取得するために使用する方法として、以下説明する２つの方法がある。
【００３６】
＜露点温度取得方法１＞
露点温度を取得する方法の１つ目は、乾球温度と相対湿度に対する露点温度の対応表を参照することで露点温度を得る方法である。乾球温度、相対湿度および露点温度の関係は既知であることから、予め乾球温度と相対湿度に対する露点温度の対応表を作成しメモリ３２に格納しておくことができる。マイクロコントローラ３１は、当該対応表を参照することにより、現在の室内温湿度に対応する露点温度を現在の露点温度として取得すればよい。
【００３７】
＜露点温度取得方法２＞
露点温度を取得する方法の２つ目は、現在温度（乾球温度）と相対湿度に基づき、計算により露点温度での飽和水蒸気圧を算出し、これに基づいて露点温度を算出する方法である。
【００３８】
具体的には、まず現在温度から以下示す式（１）（Tetensの式）により現在温度での飽和水蒸気圧Ｅ（ｔ）［ｈＰａ］を算出する。
【数１】
0006528307.tif 000002
【００３９】
式（１）に示すTetensの式は、現在温度ｔ［℃］における飽和水蒸気圧Ｅ（ｔ）［ｈＰａ］を近似的に算出する式である。
【００４０】
また、相対湿度ＲＨ［％］は、現在温度ｔ［℃］における飽和水蒸気圧Ｅ（ｔ）［ｈＰａ］と露点温度ｔｄ［℃］における飽和水蒸気圧Ｅ（ｔｄ）［ｈＰａ］を用いて、下記式（２）のように表される。
【数２】
0006528307.tif 000003
【００４１】
現在温度ｔ［℃］における飽和水蒸気圧Ｅ（ｔ）と相対湿度ＲＨ［％］は既知であるため、式（２）から露点温度ｔｄ［℃］における飽和水蒸気圧Ｅ（ｔｄ）［ｈＰａ］を算出することができる。
【００４２】
最後に、露点温度ｔｄ［℃］における飽和水蒸気圧Ｅ（ｔｄ）［ｈＰａ］を用いて、水の飽和水蒸気圧表から露点温度ｔｄ［℃］を取得する。露点温度と飽和水蒸気圧との関係を示す水の飽和水蒸気圧表は、予めメモリ３２に格納されていればよい。
【００４３】
このように、マイクロコントローラ３１は露点温度取得処理において、現在の室内温湿度に基づいて露点温度を取得することができる。なお、上述した露点温度取得方法１を採用した場合、演算処理を行う必要がなく対応表を読み出して参照するだけでよいので、演算負荷がかからず速度が速いという利点がある。一方、露点温度取得方法２を採用した場合は、演算に負荷と時間がかかるものの、大きなデータである露点温度対応表をメモリ３２に格納する必要がなくなる。いずれの露点温度取得方法を採用するかは、例えばマイクロコントローラ３１の演算速度やメモリ３２の容量等に基づいて決定されればよい。
【００４４】
［通電率決定処理］
次に、図３に示すフローチャートのステップＳＴ３において実行される通電率決定処理について説明する。図４は、通電率の決定に用いられる露点温度の範囲を示した図である。マイクロコントローラ３１は上述した露点温度取得処理において取得した露点温度が図４に示す複数の範囲Ａ〜Ｆのうちどの範囲に含まれるかを判断し、その露点温度が含まれる範囲に応じて通電率を決定する。
【００４５】
マイクロコントローラ３１は、例えば露点温度が範囲Ａに含まれる場合、通電率を６０％とする。また、マイクロコントローラ３１は、例えば露点温度が範囲Ｂに含まれる場合、通電率を５０％とする。また、マイクロコントローラ３１は、例えば露点温度が範囲Ｃに含まれる場合、通電率を４０％とする。また、マイクロコントローラ３１は、例えば露点温度が範囲Ｄに含まれる場合、通電率を３０％とする。また、マイクロコントローラ３１は、例えば露点温度が範囲Ｅに含まれる場合、通電率を２０％とする。また、マイクロコントローラ３１は、例えば露点温度が範囲Ｆに含まれる場合、通電率を１０％とする。
【００４６】
なお、図４における各曲線は、現在の温度（乾球温度。図４では、５℃、１０℃、１５℃、２０℃、２５℃、３０℃、３５℃の場合）における露点温度と相対湿度の関係を示している。そして、上述した各範囲の境界は、例えば特定の温度と相対湿度に対応する露点温度で設定されている。例えば、範囲Ａと範囲Ｂとの境界は、温度３５℃、相対湿度６０％の露点温度２６．１℃である。範囲Ｂと範囲Ｃとの境界は、温度３０℃、相対湿度６０％の露点温度２１．４℃である。範囲Ｃと範囲Ｄとの境界は、温度２５℃、相対湿度６０％の露点温度１６．７℃である。範囲Ｄと範囲Ｅとの境界は、温度２０℃、相対湿度５０％の露点温度９．３℃である。範囲Ｅと範囲Ｆとの境界は、温度１５℃、相対湿度５０％の露点温度４．７℃である。なお、図４に示した範囲Ａ〜Ｆの分け方は一例であり、例えば現在温度のみに基づいて範囲分けを行ってもよい。
【００４７】
［通電率の補正処理］
次に、図３に示すフローチャートのステップＳＴ５において実行される通電率の補正処理について説明する。マイクロコントローラ３１は、上述した通電率決定処理において決定した通電率に対して、環境情報に基づいて補正を行う。なお、本発明の実施の形態では、環境情報として、現在の空調装置２の運転モードに関する情報、および、店舗所在地の現在の季節、天気、時間帯に関するそれぞれの情報を用いる。
【００４８】
＜空調装置２の運転モード＞
まず、マイクロコントローラ３１が空調装置２の運転モードに関する情報に応じて通電率の補正処理を行う場合について説明する。マイクロコントローラ３１は、空調装置２の運転モードに関する情報を例えば空調装置２から逐次受信する。あるいは、マイクロコントローラ３１は、管理者が入力部３４により空調装置２の運転モードを設定する際の入力に基づいて、空調装置２の運転モードに関する情報を取得してもよい。
【００４９】
マイクロコントローラ３１は、空調装置２の運転モードが暖房、あるいは除湿である場合に、上述した通電率決定処理において決定した通電率の値を減少させる。これは、店舗内の温度が高い、あるいは湿度が低い方が露点温度は低くなるので、通電率を低くすることが好ましいからである。これにより、本発明の実施の形態のショーケース制御システム１００では、空調装置２の運転モードに応じて最適な防露ヒータ１１への通電率を設定することができる。
【００５０】
なお、補正を行う場合の通電率の補正量は、所定の固定値でもよいし、決定した通電率に対する所定の割合でもよい。これは以下説明する他の環境情報に基づく補正処理においても同様である。
【００５１】
＜季節＞
次に、マイクロコントローラ３１が季節に関する情報に応じて通電率の補正処理を行う場合について説明する。マイクロコントローラ３１は、例えば現在の日付に基づいて季節を判断する。日付の情報は、例えば管理者が入力部３４に入力した日付に基づいて得られるようにしてもよいし、図１および２に図示しない時計から得られるようにしてもよい。例えば、マイクロコントローラ３１は、日付が４〜５月では春、６〜９月では夏、１０〜１１月では秋、１２〜３月では冬と判断する。
【００５２】
マイクロコントローラ３１は、季節が夏であると判断した場合に、上述した通電率決定処理において決定した通電率を増加させる。また、マイクロコントローラ３１は、季節が冬であると判断した場合に、上述した通電率決定処理において決定した通電率を減少させる。また、マイクロコントローラ３１は、季節が春あるいは秋であると判断した場合は、上述した通電率決定処理において決定した通電率をそのまま使用する。
【００５３】
これは、日本の場合、冬よりも夏の方が一般的に空気中に含まれる水蒸気量が多い（絶対湿度が高い）ことを考慮しているからである。これにより、本発明の実施の形態のショーケース制御システム１００では、季節に応じて最適な防露ヒータ１１への通電率を設定することができる。
【００５４】
なお、上述した例ではマイクロコントローラ３１が日付により季節を判断していたが、例えば管理者が入力部３４に直接季節を入力できるようにしてもよい。また、店舗の所在地に応じて日付から判断される季節が異なるようにしてもよい。例えば、店舗が九州地方や沖縄等暑い地方に存在する場合は、夏と判断する日付の期間を長くしたり、店舗が東北地方や北海道等寒い地方に存在する場合は、冬と判断する日付の期間を長くしたりしてもよい。
【００５５】
また、補正量も上述した季節の判断と同様に、店舗所在地に応じて変動するようにしてもよい。例えば、店舗が暑い地方に存在する場合は夏における補正量を他の地方の場合と比較して大きくしたり、店舗が寒い地方に存在する場合は冬における補正量を他の地方と比較して大きくしたりしてもよい。
【００５６】
＜天気＞
次に、マイクロコントローラ３１が天気に応じて通電率の補正処理を行う場合について説明する。マイクロコントローラ３１は、店舗所在地の天気の情報を、例えば図示しない通信回線を通じてインターネット等のネットワークから取得する。あるいは、天気の情報は、例えば管理者による入力部３４への入力に基づいて得られるようにしてもよい。また、店舗外に設置された図示しない天気計により天気の情報を取得するようにしてもよい。
【００５７】
マイクロコントローラ３１は、天気が雨、霧、雪等、湿度が高いことが想定される天気である場合に、通電率決定処理において決定した通電率を増加させる。また、マイクロコントローラ３１は、それら以外の天気である場合には、補正を行わない。
【００５８】
これは、湿度が高いことが想定される天気では、露点温度が高くなり、通電率を高くすることが好ましいからである。これにより、本発明の実施の形態のショーケース制御システム１００では、天気に応じて最適な防露ヒータ１１への通電率を設定することができる。
【００５９】
＜時間帯＞
さらに、マイクロコントローラ３１が時間帯に応じて通電率の補正処理を行う場合について説明する。マイクロコントローラ３１は、時間帯の情報を図示しない時計等から取得する。
【００６０】
マイクロコントローラ３１は、時間帯が夜間、例えば午後５時から午前７時までの間である場合に、通電率決定処理において決定した通電率を増加させる。そして、マイクロコントローラ３１は、それ以外の時間帯である場合には、補正を行わない。
【００６１】
これは、日中よりも夜間の方が湿度（相対湿度）が高くなることが想定されるからである。これにより、本発明の実施の形態のショーケース制御システム１００では、時間帯に応じて最適な防露ヒータ１１への通電率を設定することができる。
【００６２】
なお、マイクロコントローラ３１は上述した季節の情報と時間帯の情報とを合わせて補正を行うようにしてもよい。具体的には、季節が夏である場合にマイクロコントローラ３１が夜間であると判断する時間を午後７時から午前６時までとしたり、季節が冬である場合にマイクロコントローラ３１が夜間であると判断する時間を午後４時から午前８時までとしたりしてもよい。
【００６３】
以上、本発明の実施の形態のショーケース制御システム１００の動作時に実行される各処理の詳細について説明した。なお、ここでは環境情報ごとに異なる補正を行うように説明したが、異なる環境情報による補正量は重複して適用されてもよい。具体的には、例えば季節が夏、天気が雨、時間帯が夜間である場合には、その他の場合と比較して、補正量をより大きくしてもよい。
【００６４】
以上説明したように、本発明の実施の形態のショーケース制御システム１００によれば、制御装置３は、ショーケース１が設置された室内の現在の温度および湿度に基づいて防露ヒータ１１の通電率を制御する。これにより、本発明の実施の形態のショーケース制御システム１００は、ショーケース１ごとに温度センサや湿度センサを配設することなく、防露ヒータ１１の通電率を制御し、好適に結露の発生を抑えることができるようになる。
【００６５】
また、本発明の実施の形態のショーケース制御システム１００によれば、制御装置３は、ショーケース１が設置された室内の現在の温度および湿度に基づいて露点温度を算出し、当該露点温度に応じて通電率を調節する。これにより、ショーケース１ごとに温度センサや湿度センサを配設することなく、ショーケース１が設置された室内の露点温度を算出することができる。
【００６６】
なお、上述した本発明の実施の形態では、ショーケース制御システム１００が１つのショーケース１および空調装置２を有する場合について説明したが、本発明は例えば複数のショーケースおよび空調装置を有するショーケース制御システムにも適用が可能である。この場合、例えば制御装置において、１つの室内にあるすべてのショーケースに対して露点温度取得処理を行い、取得した露点温度に基づいて、ショーケースごとに通電率決定処理および補正処理を行うようにするようにすればよい。また、店舗内にショーケースを設置した部屋が複数存在する場合は、部屋ごとに室内温湿度を計測し、これに基づいて部屋ごとに露点温度取得処理を行うようにすればよい。これにより、本発明はショーケースごとに温度センサや湿度センサを備える必要がなくなるため、設置コストを抑えることができる。さらに、制御装置においてショーケースごとの露点温度取得処理をしないため、制御装置の処理能力を抑えることができるようになり、制御装置の設置コストを抑えることができる。
【００６７】
また、本発明の実施の形態のショーケース制御システム１００によれば、制御装置３のマイクロコントローラ３１が、空調装置２の運転モード、すなわち冷房、暖房、除湿等に関する情報に基づいて、防露ヒータ１１の通電率に対する補正処理を行う。これにより、ショーケース１が設置された室内の状況に合わせた防露ヒータ１１の通電率を設定することができ、好適に結露を防止することができる。
【００６８】
また、本発明の実施の形態のショーケース制御システム１００によれば、制御装置３のマイクロコントローラ３１が、ショーケース１が設置された地点の季節に関する情報と、天気に関する情報と、時間帯に関する情報とに基づいて防露ヒータ１１の通電率に対する補正処理を行う。これにより、ショーケース１が設置された地点の状況に合わせた防露ヒータ１１の通電率を設定することができ、好適に結露を防止することができる。
【００６９】
なお、上述した本発明の実施の形態は、本発明の一例に過ぎず、本発明はこれには限定されない。上述した本発明の実施の形態では、ショーケース制御システム１００はスーパーマーケットやコンビニエンスストア等の店舗内に設置され、ショーケース内に商品が陳列される例について説明した。しかしながら、本発明のショーケース制御システムは、例えば展示会場や美術館、博物館、一般家庭等、店舗以外にも適用することができる。また、上述した実施の形態では、ショーケース１内に陳列されるものとして飲料や食品等の商品を例示したが、本発明はこれには限定されず、商品以外のものを陳列してもよい。
【００７０】
また、上述した本発明の実施の形態では、補正処理を行うか否かの判断を行う環境情報として、空調装置２の運転モードに関する情報、季節に関する情報、天気に関する情報、時間帯に関する情報を想定していたが、本発明はこれには限定されない。本発明のショーケース制御システムは、これら以外の環境情報、例えば、店舗内でのショーケースの位置等に基づいて補正処理を行うようにしてもよい。この場合、例えば、出入口に近いショーケースに対して補正を行い、出入口から遠いショーケースに対しては補正を行わないようにすればよい。
【００７１】
また、上述した本発明の実施の形態では、空調装置２が温湿度センサ２１を有しており、制御装置３のマイクロコントローラ３１は空調装置２からショーケース１が設置された室内の温度および湿度に関する情報を取得していたが、本発明はこれには限定されない。温湿度センサは、例えば空調装置２以外の室内の一部位に設置されればよい。
【産業上の利用可能性】
【００７２】
本発明は、防露ヒータを備えたショーケースの制御装置およびショーケース制御システムに好適である。
【符号の説明】
【００７３】
１００  ショーケース制御システム
１  ショーケース
１１  防露ヒータ
２  空調装置
２１  温湿度センサ
３  制御装置
３１  マイクロコントローラ
３２  メモリ
３３  送受信制御部
３４  入力部
３５  表示部
【図１】
0006528307.tif 000004
【図２】
0006528307.tif 000005
【図３】
0006528307.tif 000006
【図４】
0006528307.tif 000007